(57)【要約】      （修正有）【課題】遊技盤の前面への遊技球の摺動痕等の痕跡を生じ難くすると共に、発射手段からの遊技球を遊技領域へと円滑に案内できる遊技機の提供。【解決手段】遊技盤６の前面に、発射手段により発射された遊技球を遊技領域へと案内するガイドレール４１を備え、ガイドレール４１は球案内通路５９の内外に配置された内レール６０と外レール６１とを有する。外レール６１は遊技盤６に対して前側が外側に傾斜して配置されており、この外レール６１の前側に、外レール６１に沿って遊技球を遊技領域へと案内する案内部材７０を設ける。案内部材７０は遊技盤６の前側に配置され且つ遊技領域を前側から視認可能なガラス扉のガラス板２４に対する遊技球の接触を阻止する。【選択図】図５
2014212910.tif 000002
【特許請求の範囲】
【請求項１】
遊技盤の前面に、発射手段により発射された遊技球を遊技領域へと案内するガイドレールを備え、
該ガイドレールは球案内通路の内外に配置された内レール及び外レールを備えた弾球遊技機において、
前記外レールは前記遊技盤に対して前側が外側に傾斜して配置されており、
該外レールの前側に、該外レールに沿って遊技球を前記遊技領域へと案内する案内部材を設けた
ことを特徴とする弾球遊技機。
【請求項２】
前記案内部材は前記遊技盤の前側に配置され且つ前記遊技領域を前側から視認可能な透明板扉の透明板に対する遊技球の接触を阻止する
ことを特徴とする請求項１に記載の弾球遊技機。
【請求項３】
前記遊技盤は光透過性を有する光透過部を備え、
該遊技盤の裏側に、前記光透過部を介して前側から視認可能な演出手段を備えた
ことを特徴とする請求項１又は２に記載の弾球遊技機。
【請求項４】
前記外レールを外側から保護するレール保護部を備え、
該レール保護部に前記案内部材を設けた
ことを特徴とする請求項１〜３の何れかに記載の弾球遊技機。
【請求項５】
前記外レールの外側の前飾り部材に前記案内部材を設けた
ことを特徴とする請求項１〜３の何れかに記載の弾球遊技機。
【請求項６】
前記外レールに前記案内部材を設けた
ことを特徴とする請求項１〜３の何れかに記載の弾球遊技機。
【請求項７】
前記透明板扉の裏面に前記案内部材を備えた
ことを特徴とする請求項２に記載の弾球遊技機。
【請求項８】
前記案内部材は前記外レールとの間で遊技球を二点支持する突条を備えた
ことを特徴とする請求項１〜７の何れかに記載の弾球遊技機。
【発明の詳細な説明】
【技術分野】
【０００１】
本発明は、発射手段により発射された遊技球をガイドレールを経て遊技盤の遊技領域へと打ち込むようにしたパチンコ機等の弾球遊技機に関するものである。
【背景技術】
【０００２】
パチンコ機等の遊技機は、遊技盤の前面に遊技領域とガイドレールとを備え、発射手段により発射された遊技球をガイドレールを経て遊技領域の上部側へと打ち込み、その遊技球を遊技領域の上部から順次落下させながら遊技を行うようになっている。
【０００３】
この種の弾球遊技機において、その遊技盤にはベニヤ板等の前面に絵柄シートを貼着した木製遊技盤の他に、アクリル板等の透明板を使用した透明遊技盤がある（特許文献１）。
【先行技術文献】
【特許文献】
【０００４】
【特許文献１】特開２００９−９５３８５号公報
【発明の概要】
【発明が解決しようとする課題】
【０００５】
木製遊技盤、透明遊技盤の如何に拘わらず、遊技中は発射手段により発射された遊技球をガイドレールの外レールに沿って遊技領域へと案内するため、遊技盤の前面に外レールに沿って遊技球の摺動痕、擦過痕でき、稼動期間が長くなればその摺動痕、擦過痕が目立って見苦しくなるという欠点がある。
【０００６】
即ち、ガイドレールの外レールは遊技盤に対して垂直又は前側が内側へと若干傾斜した姿勢で装着されており、遊技盤の前面に接触するか又はそれに近い状態で遊技球を遊技領域へと案内するため、遊技盤の前面に外レールに沿って摺動痕等が発生するという問題がある。
【０００７】
また、透明遊技盤を採用した場合には、遊技領域の光透過部の裏側に可動演出手段、発光演出手段等の演出手段を配置することにより、遊技領域を広範囲に活用して演出を行える等の利点があるにも拘わらず、外レールに沿って摺動痕や擦過痕ができてしまうと、その摺動痕等が発光演出時に目立って見苦しくなるという問題が生じる。
【０００８】
本発明は、このような従来の問題点に鑑み、遊技盤の前面への遊技球の摺動痕等の痕跡を生じ難くすると共に、発射手段からの遊技球を遊技領域へと円滑に案内できる弾球遊技機を提供することを目的とする。
【課題を解決するための手段】
【０００９】
本発明は、遊技盤６の前面に、発射手段７により発射された遊技球を遊技領域２１へと案内するガイドレール４１を備え、該ガイドレール４１は球案内通路５９の内外に配置された内レール６０及び外レール６１を備えた弾球遊技機において、前記外レール６１は前記遊技盤６に対して前側が外側に傾斜して配置されており、該外レール６１の前側に、該外レール６１に沿って遊技球を前記遊技領域２１へと案内する案内部材６９，７０を設けたものである。
【００１０】
前記案内部材６９，７０は前記遊技盤６の前側に配置され且つ前記遊技領域２１を前側から視認可能な透明板扉８の透明板２４に対する遊技球の接触を阻止するようにしてもよい。前記遊技盤６は光透過性を有する光透過部６ａを備え、該遊技盤６の裏側に、前記光透過部６ａを介して前側から視認可能な演出手段７８を備えたものでもよい。
【００１１】
前記外レール６１を外側から保護するレール保護部６６を備え、該レール保護部６６に前記案内部材６９，７０を設けてもよい。前記外レール６１の外側の前飾り部材４２，４３に前記案内部材６９，７０を設けてもよい。
【００１２】
前記外レール６１に前記案内部材６９，７０を設けてもよい。前記透明板扉８の裏面に前記案内部材６９，７０を備えてもよい。前記案内部材６９，７０は前記外レール６１との間で遊技球を二点支持する突条７３を備えたものでもよい。
【発明の効果】
【００１３】
本発明によれば、遊技盤の前面への遊技球の摺動痕等の痕跡を生じ難くすると共に、発射手段からの遊技球を遊技領域へと円滑に案内できる利点がある。
【図面の簡単な説明】
【００１４】
【図１】本発明の第１の実施形態を示すパチンコ機の前側斜視図である。
【図２】同パチンコ機の遊技盤を取り外した状態の後側斜視図である。
【図３】同前枠及び遊技盤の概略正面図である。
【図４】同図３のＡ−Ａ線拡大断面図である。
【図５】同図３のＢ−Ｂ線拡大断面図である。
【図６】同図３のＣ−Ｃ線拡大断面図である。
【図７】同遊技盤の説明図である。
【図８】同外レールの展開図である。
【図９】本発明の第２の実施形態を示す遊技盤の正面図である。
【図１０】本発明の第３の実施形態を示す遊技盤の正面図である。
【図１１】同図１０のＤ−Ｄ線拡大断面図である。
【図１２】本発明の第４の実施形態を示す遊技盤の正面図である。
【図１３】同一部破断正面図である。
【図１４】同拡大断面図である。
【図１５】本発明の第５の実施形態を示す一部破断正面図である。
【図１６】同拡大断面図である。
【図１７】本発明の第６の実施形態を示す拡大断面図である。
【図１８】本発明の第７の実施形態を示す遊技盤の正面図である。
【図１９】同拡大断面図である。
【図２０】同分解斜視図である。
【図２１】本発明の第８の実施形態を示す要部の横断面図である。
【図２２】同前飾り部材の要部の斜視図である。
【図２３】本発明の第９の実施形態を示す遊技盤の横断面図である。
【発明を実施するための形態】
【００１５】
以下、本発明の実施形態を図面に基づいて詳述する。図１〜図８は本発明をパチンコ機に採用した第１の実施形態を例示している。パチンコ機は、図１〜図３に示すように、矩形状の外枠１と、この外枠１の前側に縦方向のヒンジ２Ａ廻りに開閉自在に枢着された前枠３とを備えている。
【００１６】
前枠３は遊技盤装着部４と支持板５とを上下に備え、その遊技盤装着部４には遊技盤６が着脱自在に装着され、また支持板５には遊技盤６へと遊技球を発射するための発射手段７が装着されている。更に前枠３は、遊技盤装着部４内の遊技盤６の前側に配置されたガラス扉（透明板扉）８と、支持板５の前側に配置された前面板９とを上下に備え、そのガラス扉８及び前面板９が前枠３に縦方向のヒンジ２Ｂ廻りに開閉自在に枢支されている。ヒンジ２Ａ，２Ｂは縦方向の略同一軸心上に配置されている。
【００１７】
前面板９の前側には、発射手段７に供給するための遊技球を貯留する上貯留皿１０と、余剰球を貯留する下貯留皿１１とが上下に装着され、下貯留皿１１の左右方向の一側方に発射手段７を作動させるための発射ハンドル１２と、発射ハンドル１２の周辺近傍で裏側に配置された効果音用の下部スピーカ（図示省略）とが設けられている。上貯留皿１０の前側には操作ボタン兼用の回転発光式の発光演出手段１３とチャンスボタン１４とが配置されている。
【００１８】
ガラス扉８は、図４に示すように扉枠１５と、この扉枠１５の裏側に着脱自在に装着されたガラス板ユニット（透明板ユニット）１６とを備え、そのガラス板ユニット１６のガラス板（透明板）１７を介して遊技盤６の遊技領域２１を前側から視認可能である。
【００１９】
扉枠１５は鉄板その他の補強板１８と、この補強板１８を前側から覆う化粧カバー１９等を備えた矩形状であり、その内周側が遊技盤６の遊技領域２１に対応する窓孔２２となっており、また上端側の前面に左右一対の上部スピーカ２３が設けられている。ガラス板ユニット１６は前後二枚のガラス板２４と、このガラス板２４の外周を保持する保持枠２５とを備え、扉枠１５の内側のガラス板２４を介して遊技盤６の遊技領域２１を視認可能である。
【００２０】
前枠３は外枠１の前側に当接する前枠部２６と、この前枠部２６の内周側から外枠１の内側へと屈曲する内枠部２７とを有し、その内枠部２７内に遊技盤装着部４、支持板５等が設けられている。内枠部２７の裏側には、遊技盤６の裏側を取り囲む周壁部２８が設けられると共に、その周壁部２８の上側に球タンク３０が左右方向に配置され、また裏側の左右一側に球払い出し手段３１が上下方向に配置されている。
【００２１】
球タンク３０は賞球、貸し球用の遊技球を貯留し、球払い出し手段３１は球タンク３０内の遊技球を賞球、貸し球等として上貯留皿１０へと払い出すようになっている。支持板５の裏側には球払い出し手段３１用の払い出し基板が収容された払い出し基板ケース３２と、下部スピーカが収容されたスピーカボックス３３とが設けられている。
【００２２】
遊技盤６は遊技盤装着部４に対して前側から着脱自在に装着され、また遊技盤６及び遊技盤装着部４の裏側には、遊技盤６を遊技盤装着部４に対して着脱する際に、前枠３側のコネクタと遊技盤６側のコネクタとを電気的に着脱する接続手段３４が設けられている。なお、遊技盤６は遊技盤装着部４に対して裏側から着脱自在に装着してもよい。
【００２３】
遊技盤６には光透過性を有する透明遊技盤が採用されている。即ち、この遊技盤６はアクリル板等の透明板により構成された透明式であって、図４〜図６に示すように、ベニヤ板等を使用した不透明式に比較して板厚が薄くなっており、その裏側外周部に補強部材３６が積層状に固定されている。遊技盤６と補強部材３６との積層厚さは、ベニヤ板等を使用した不透明式の遊技盤６の厚さ、及び前枠３の遊技盤装着部４の装着深さと略一致している。そして、遊技盤６は遊技盤装着部４内でその積層部分に対応して配置されたロック具（図示省略）により着脱自在にロックされている。
【００２４】
補強部材３６は、図４〜図６に示すように、補強リブ等の補強構造部３７を介して遊技盤６の裏面に当接する後壁部３８と、後壁部３８の外周から前側に屈曲して遊技盤６を外周から保護する保護壁部３９とを有し、この補強部材３６を介して遊技盤６の裏側に裏構造体４０が着脱自在に装着されている。
【００２５】
遊技盤６の前面側には、図３に示すように、ガラス扉８の窓孔２２を経て前側から視認可能な遊技領域２１が前面側に設けられると共に、遊技領域２１の外周側を取り囲むガイドレール４１、前飾り部材４２，４３、区画部材４４等が環状に装着されている。また遊技盤６の遊技領域２１内には画像表示手段４５、普通図柄始動手段４６、特別図柄始動手段４７、可変入賞手段４８、普通入賞手段４９等が配置されている。
【００２６】
発射手段７は、図３に示すように、支持板５の前面に装着された発射板５１と、この発射板５１に固定された発射レール５２と、前後方向の駆動軸５３廻りに回転して発射レール５２上の遊技球を遊技盤６側へと打撃する打撃槌５４と、発射板５１の裏側に装着された打撃槌５４用の駆動手段５５とを備え、支持板５の左右方向の略中央に配置されている。なお、支持板５の上部には、発射手段７により発射された遊技球が通過する発射通路５６と、遊技盤６から戻るファール球等を下貯留皿１１へと案内する回収口５７とが設けられている。
【００２７】
ガイドレール４１は発射手段７により発射通路５６を経て遊技盤６側に発射された遊技球を遊技領域２１の上部側へと案内するためのもので、図４〜図６に示すように、発射通路５６に連続して円弧状に形成された球案内通路５９の内外に配置された内レール６０及び外レール６１を備えている。
【００２８】
内レール６０及び外レール６１はステンレス製の帯板等により構成され、その内レール６０は球案内通路５９の下部の入口部５９ａと遊技領域２１の左上部側との間に、外レール６１は入口部５９ａと遊技領域２１の右上部側の球止め部６２との間に夫々円弧状に設けられている。
【００２９】
外レール６１は、図７に示すように、入口部５９ａ側及び球止め部６２側の所要範囲が遊技盤６の前面に対して略垂直（角度Ｐ＝９０度）に起立する第１垂直領域Ｘ、第２垂直領域Ｚとなり、この垂直領域Ｘ，Ｚ間の遊技球の移動速度の早い部分が外側傾斜領域Ｙとなっている。外側傾斜領域Ｙでは外レール６１の内周側が外側へと若干傾斜しており、その角度Ｑは遊技盤６の前面に対して９０度＋αになっている。
【００３０】
第１垂直領域Ｘは発射手段７により発射通路５６を経て遊技盤６側の球案内通路５９の入口部５９ａ側に進入した遊技球の移動方向を安定させるためのもので、球案内通路５９の入口部５９ａから所定範囲に設けられている。
【００３１】
また外側傾斜領域Ｙは外レール６１の角度Ｑ、遊技球の慣性力に応じて、遊技球に前側への分力を発生させるためのものであり、この外側傾斜領域Ｙでは遊技球の移動速度が速いにも拘わらず、遊技球は前側への分力により、遊技盤６の前面から離れた状態で移動することとなり、遊技盤６の前面にできる摺動痕等の発生を防止又は軽減することができる。なお、遊技球は遊技盤６に接触せずにその前面近傍を移動する程度でもよい。
【００３２】
一方、第２垂直領域Ｚでは外レール６１が遊技盤６の前面に対して略垂直状に起立しているが、遊技領域２１の最上部又はその左側近傍から球止め部６２までの領域であって、遊技球が外側傾斜領域Ｙを通過した後であること、遊技球の移動速度が遅く慣性力が外側傾斜領域Ｙに比較して小さいこと等から、遊技球による遊技盤６の前面の摺動痕等の発生を少なくできる。
【００３３】
外レール６１の遊技盤６に当接する当接縁６１ａは、図８に示すように、真っ直ぐに伸ばしたときに第１垂直領域Ｘ、第２垂直領域Ｚが直線状に形成され、また外側傾斜領域Ｙが内側へと円弧状に形成されている。従って、この外レール６１の当接縁６１ａ側を長手方向に所定間隔をおいて配置された複数個の釘６４により遊技盤６の前面に当接させて固定すれば、外レール６１に第１垂直領域Ｘ、第２垂直領域Ｚ及び外側傾斜領域Ｙとを容易に設けることができる。
【００３４】
外レール６１の外周側には、図３〜図６に示すように、前飾り部材４２，４３が外レール６１に沿って円弧状に配置されている。前飾り部材４２，４３は前面側に配置された飾り部６５と、この飾り部６５の内周側から前側に突出するレール保護部６６とを有し、そのレール保護部６６の内周側が外レール６１の外周面に当接又は近接して外レール６１を外側から保護している。区画部材４４はガイドレール４１と反対側に配置されており、前面側の飾り部６７と、この飾り部６７の内周側で遊技領域２１の外周を区画する区画壁６８とを有する。
【００３５】
外レール６１の外側傾斜領域Ｙから球案内通路５９の入口部５９ａ側の範囲には、図３に示すように、外レール６１の前側に対応して板状の第１案内部材６９、第２案内部材７０が設けられている。
【００３６】
第１案内部材６９、第２案内部材７０は、外レール６１に沿って遊技球を遊技領域２１へと案内すると共に、ガラス扉８のガラス板２４に対する遊技球の接触を阻止するためのものであり、透明、半透明又は不透明な合成樹脂材料により構成されている。
【００３７】
第１案内部材６９は、図３、図４に示すように、球案内通路５９の入口部５９ａから外側傾斜領域Ｙの中間に対応して、内レール６０と外レール６１との間を略塞ぐように羽根状に構成されている。この第１案内部材６９は内レール６０と外レール６１との間で球案内通路５９内に突出する案内部７２を有し、中間部分がガラス板ユニット１６のガラス板２４に裏側から当接した状態で、その外周の取り付け部６９ａがガラス扉８の扉枠１５にネジ等の固定手段７１を介して取り付けられている。
【００３８】
第２案内部材７０は、図５、図６に示すように、前飾り部材４２のレール保護部６６の前端から外レール６１の前側を経て球案内通路５９側へと略直角状に屈曲形成され、外レール６１から内レール６０への球案内通路５９の略半分程度を前側から覆うように構成されている。
【００３９】
第２案内部材７０には外レール６１から遊技球の半径分離れた位置に突条７３が外レール６１に沿って円弧状に設けられており、球案内通路５９内を移動する遊技球が第２案内部材７０に沿って移動するときには、その突条７３と外レール６１との二点で遊技球を支持しながら案内するようになっている。なお、突条７３の頂点は第１案内部材６９の案内部７２と略同じ高さになっており、また第２案内部材７０の内端側は、突条７３の頂点に達するように傾斜状になっている。
【００４０】
画像表示手段４５は演出図柄等の演出画像を適宜表示するためのものであって、図２、図３に示すように、表示窓７６が形成され且つ遊技盤６の前面に装着された前飾り体７５と、前飾り体７５の表示窓７６に対応して遊技盤６の裏側で裏構造体４０に装着された液晶パネル等の画像表示部７７とを備えている。
【００４１】
裏構造体４０には画像表示部７７の他に、画像表示部７７の外周側に発光演出手段７８が装着されている。発光演出手段７８は多数の発光体７９が装着された発光基板８０を備え、光透過部６ａを介して遊技盤６の前面側から視認可能に設けられており、所定の遊技状態になったときに発光体７９が発光するようになっている。
【００４２】
なお、発光演出手段７８に代えて、又は発光演出手段７８と共に可動演出手段等を遊技盤６の裏側に設けてもよい。更に発光演出手段７８として、遊技領域２１の一部又は略全域に対応して遊技盤６の裏側に画像表示部７７を配置してもよい。
【００４３】
前飾り体７５は遊技領域２１を落下する遊技球が画像表示部７７側に進入しないように遊技盤６の前面から前側に突出しており、その前側上部等の適当箇所に普通図柄表示手段８２、特別図柄表示手段８３が配置されている。
【００４４】
普通図柄始動手段４６は遊技球が通過可能なゲート式であって、前飾り体７５の左側で遊技盤６に装着され、この普通図柄始動手段４６が遊技球を検出することを契機に普通図柄表示手段８２の普通図柄（遊技図柄）が所定時間変動するようになっている。
【００４５】
特別図柄始動手段４７は前飾り体７５の下側で遊技盤６の前面に装着されており、遊技球が入賞可能な開放型始動入賞口８４と、前後軸廻りに開閉可能な開閉部材８５を有する開閉型始動入賞口８６とを上下に備え、その何れかの始動入賞口８４，８６に遊技球が入賞することを契機に特別図柄表示手段８３の特別図柄が所定時間変動するようになっている。
【００４６】
開閉型始動入賞口８６は普通図柄表示手段８２の変動後の停止図柄が特定態様となって普通利益状態が発生したときに、開閉部材８５が所定時間開状態に変化して遊技球が入賞可能な状態となる。
【００４７】
可変入賞手段４８は特別図柄始動手段４７の下側に配置されており、横軸廻りに開閉する開閉板８７と、この開閉板８７によって遊技球が入賞可能な開状態と入賞不可能な閉状態とに切り換え可能な可変入賞口８８とを備えている。可変入賞口８８は特別図柄表示手段８３の変動後の停止図柄が特別態様となって特別利益状態が発生したときに、開閉板８７が所定の開放パターンに従って前側に開放して、その上に落下した遊技球を内部へと入賞させるようになっている。
【００４８】
開閉板８７による可変入賞口８８の開放パターンには、可変入賞口８８を０．２秒開放する動作を２ラウンド行う開放パターンと、可変入賞口８８を開放してから所定時間（例えば２８秒）経過するかそれまでに所定個数（例えば９個）の遊技球が入賞することを条件に閉鎖する動作を１５ラウンド行う開放パターンとの２種類設けられている。なお、開放パターンは２種類に限定されるものではなく、１種類でもよいし、３種類以上の多種類でもよい。
【００４９】
普通図柄表示手段８２は例えば「○」「×」の２種類の普通図柄に対応する特定の２個の発光部により構成されている。そして、この普通図柄表示手段８２は、普通図柄始動手段４６の遊技球の検出を条件に２つの発光部が所定時間交互に点滅して、普通図柄始動手段４６の遊技球の検出時に抽選された遊技態様が特定遊技の場合には特定態様の「○」側の発光部が発光した状態で、それ以外の場合には非特定態様の「×」側の発光部が発光した状態で、その点滅を終了するようになっている。
【００５０】
特別図柄表示手段８３は、始動入賞口８４，８６の何れかの遊技球の検出を条件に発光部により表示される特別図柄が所定時間変動して、始動入賞口８４，８６の遊技球の検出時に抽選された遊技態様が特別遊技態様の場合には所定の特別態様で、それ以外の場合には非特別態様で夫々停止するようになっている。
【００５１】
画像表示手段４５は１個又は複数個、例えば左右方向に３個の演出図柄８９ａ〜８９ｃを各種の演出画像と共に変動表示可能であり、特別図柄表示手段８３での特別図柄の変動開始と同時に所定の変動パターンに従って演出図柄８９ａ〜８９ｃが所定時間変動し、特別図柄の変動停止と同時に最終停止するように左、右、中等の所定の順序で停止するようになっている。なお、画像表示手段４５は、特別図柄の変動内容とは直接関係のない演出を行う場合があってもよい。
【００５２】
普通入賞手段４９は、例えば可変入賞手段４８の左側に内レール６０の内側に沿って３個配置され、右側に区画部材４４の区画壁６８の近傍に１個配置されている。
【００５３】
この種のパチンコ機では、遊技に際しては発射ハンドル１２を把持して回動操作すると、発射手段７の駆動手段５５が作動して、上貯留皿１０から発射レール５２上に供給される遊技球を打撃槌５４により発射方向に打撃して発射させる。
【００５４】
そして、発射された遊技球は発射通路５６を経て遊技盤６の入口部５９ａから球案内通路５９内に入り、外レール６１に沿って遊技領域２１の上部側へと案内された後、遊技領域２１内で遊技盤６の前面を下方へと落下し、その間に可変入賞手段４８等に入賞するか、入賞せずに下端まで落下してアウト口から排出されて行く。
【００５５】
球案内通路５９内に入った遊技球は、先ず外レール６１の第１垂直領域Ｘに沿って案内される。このとき第１垂直領域Ｘは遊技盤６の前面に対して略垂直に起立しているため、発射通路５６からの遊技球はその第１垂直領域Ｘの外レール６１に沿って移動方向に案内されることになる。
【００５６】
そして、第１垂直領域Ｘを通過した遊技球は、外レール６１の外側傾斜領域Ｙに沿って移動するときに、その外レール６１が外側へと傾斜しているため、その傾斜角度、遊技球の慣性力に応じて、前側への分力を受けながら案内されて行く。
【００５７】
このため外側傾斜領域Ｙでは、遊技球は前側への分力により、遊技盤６の前面から離れて接触しない状態で前面近傍を移動するか、接触しても前側への分力を伴いながら移動することとなり、従来では遊技盤６の前面にできていた摺動痕等を未然に防止し又は軽減することができる。
【００５８】
外側傾斜領域Ｙを通過した遊技球は、外レール６１の第２垂直領域Ｚに沿って案内されながら、遊技領域２１の頂部側の遊技釘等に衝突する。この第２垂直領域Ｚでは、外レール６１が遊技盤６の前面に対して略垂直状に起立しているが、遊技球が外側傾斜領域Ｙを通過した後であること、また遊技球の移動速度が遅く慣性力が外側傾斜領域Ｙに比較して小さいこと等から、遊技球による遊技盤６の前面の摺動痕の発生を少なくできる。
【００５９】
従って、裏側に発光演出手段７８が配置された透明式の遊技盤６であるにも拘わらず、その発光演出手段７８の発光体７９が発光して遊技盤６に裏側から光を照射するようなことがあっても、摺動痕等によって遊技盤６の見栄えが低下するようなこともない。
【００６０】
また内レール６０と外レール６１との前側には第１案内部材６９、第２案内部材７０があって、この各案内部材６９，７０が外レール６１に沿って遊技球を案内するため、外側傾斜領域Ｙでは遊技球に前側への分力が生じるが、その遊技球がガラス板ユニット１６のガラス板２４に直接衝突するようなことがなく、遊技球をスムーズに遊技領域２１の上部側へと案内することができる。
【００６１】
更にガイドレール４１の途中で失速したファール球があった場合でも、その遊技球がガラス板ユニット１６のガラス板２４に直接衝突するようなこともない。またガイドレール４１の途中でファール球同士が衝突するようなことがあっても、その遊技球がガラス板２４に衝突するようなこともない。従って、遊技球とガラス板２４との衝突による騒音の発生も極力防止できる。
【００６２】
また第２案内部材７０を前飾り部材４２のレール保護部６６に一体に設けることにより、簡単な構造で外レール６１の前側に第２案内部材７０を配置できる。また第２案内部材７０の裏側に突条７３を設けることにより、遊技球と第２案内部材７０との接触抵抗を少なくできる。
【００６３】
図９は本発明の第２の実施形態を例示する。この実施形態では、第１実施形態の第２垂直領域Ｚがなく、第１垂直領域Ｘから球止め部６２までの略全長が外側傾斜領域Ｙとなっており、その前側に第２案内部材７０，７０Ａが設けられている。
【００６４】
外側傾斜領域Ｙは、第１の実施形態と同様に外レール６１の内周側が外側に傾斜している。第２案内部材７０，７０Ａは、第１の実施形態と同様に前飾り部材４２，４３に設けられ、外側傾斜領域Ｙの略全長に対応して外レール６１の前側に設けられている。他の構成は第１の実施形態と同様である。
【００６５】
このように第１垂直領域Ｘから球止め部６２までの略全長を外側傾斜領域Ｙとし、その前側に第２案内部材７０，７０Ａを設けてもよい。
【００６６】
図１０、図１１は本発明の第３の実施形態を例示する。この実施形態では、第１実施形態の第１案内部材６９がなく、外レール６１の第１垂直領域Ｘから外側傾斜領域Ｙの略全長に対応して、前飾り部材４２のレール保護部６６に一体に案内部材７０Ｂが設けられている。
【００６７】
案内部材７０Ｂは裏側に突条７３を有し、また入口部５９ａではその幅が大になっており、内周端から突条７３へと幅方向に緩やかに傾斜する傾斜面７３ａが形成されている。他の構成は第１の実施形態と同様である。
【００６８】
このように案内部材７０Ｂは前飾り部材４２に一体に設けて、第１の実施形態のガラス扉８側の第１案内部材６９を省略してもよい。
【００６９】
図１２〜図１４は本発明の第４の実施形態を例示する。第１案内部材６９は第１の実施形態と同様にガラス扉８の裏側に設けられ、また第２案内部材７０は外レール６１に複数個の係合手段９０を介して着脱自在に設けられている。各係合手段９０は外レール６１に切り起こし等により設けられた爪状の係合凸部９１と、第２案内部材７０に設けられ且つ係合凸部９１が係脱自在に係合する係合凹部９２とにより構成されている。
【００７０】
係合凸部９１は外レール６１の長手方向に所定間隔をおいて複数個設けられている。第２案内部材７０は外レール６１に沿って円弧状に湾曲しており、外レール６１の外側に当接する取り付け部９３と、この取り付け部９３の前端から内レール６０側に屈曲する案内部９４とを有する。
【００７１】
取り付け部９３には、外レール６１の係合凸部９１に対応して係合凹部９２が設けられ、この係合凹部９２に外レール６１の係合凸部９１が係脱自在に係合している。案内部９４には突条７３の他に、取り付け部９３の近傍に挟持突部９５が設けられ、この挟持突部９５と取り付け部９３との間で外レール６１の前端部を挟持するようになっている。他の構成は各実施形態と同様である。
【００７２】
このように第２案内部材７０は外レール６１の外側傾斜領域Ｙに対応して外レール６１に装着してもよい。その場合、係合手段９０を介して第２案内部材７０を外レール６１に装着すれば、簡単な構造で容易に第２案内部材７０を外レール６１に装着できる。
【００７３】
なお、第３の実施形態のように第１垂直領域Ｘから外側傾斜領域Ｙに跨がって１個の案内部材７０を設ける場合にも、その案内部材７０を外レール６１に係合手段９０を介して着脱自在に装着するようにしてもよい。
【００７４】
図１５、図１６は本発明の第５の実施形態を例示する。この実施形態では、係合手段９０を構成する係合凸部９１が第２案内部材７０の取り付け部９３に、係合凹部９２が外レール６１に夫々設けられ、これらを介して第２案内部材７０が外レール６１に着脱自在に装着されている。なお、挟持突部９５は外レール６１の長手方向に所定間隔をおいて複数個設けられている。他の構成は第４の実施形態と同様である。
【００７５】
第２案内部材７０を外レール６１に設けるに当たって係合凹部９２と係合凸部９１とによる係合手段９０を採用する場合、このように第２案内部材７０の取り付け部９３に係合凸部９１を、外レール６１に係合凹部９２を夫々設けてもよい。第１案内部材６９を省略して１個の案内部材を第１垂直領域Ｘと外側傾斜領域Ｙとに跨がって設ける場合も同様である。
【００７６】
図１７は本発明の第６の実施形態を例示する。係合手段９０の係合凸部９１を第２案内部材７０の取り付け部９３に、係合凹部９２を外レール６１に夫々設ける場合、この実施形態に例示するように、取り付け部９３の係合凸部９１は爪状にして、係合凸部９１自体に弾性を持たせることも可能である。他の構成は各実施形態と同様である。
【００７７】
図１８〜図２０は本発明の第７の実施形態を例示する。この実施形態では、外レール６１の第１垂直領域Ｘ、外側傾斜領域Ｙに対応して第１案内部材７０Ｃ、第２案内部材７０Ｄ及び第３案内部材７０Ｅが外レール６１に沿って設けられている。
【００７８】
第１案内部材７０Ｃ、第３案内部材７０Ｅは前飾り部材４２のレール保護部６６に一体に設けられている。なお、第１案内部材７０Ｃ、第３案内部材７０Ｅは外レール６１に係合手段９０を介して着脱自在に装着してもよい。第２案内部材７０Ｄは遊技盤６の補強部材３６のレール保護部９６に一体に設けられている。
【００７９】
補強部材３６は左右一対の分割体３６Ａ，３６Ｂに二分割されており、その各分割体３６Ａ，３６Ｂがネジ等の固定具９７により遊技盤６に裏側から固定されている。各分割体３６Ａ，３６Ｂは保護壁部３９に一体にレール保護部９６を備え、そのレール保護部９６に第２案内部材７０Ｄが一体に設けられている。他の構成は各実施形態と同様である。
【００８０】
このように補強部材３６を左右一対の分割体３６Ａ，３６Ｂに二分割すれば、その保護壁部３９にレール保護部９６、第２案内部材７０Ｄを一体に設けることも可能である。
【００８１】
図２１、図２２は本発明の第８の実施形態を例示する。この実施形態では、合成樹脂製の前飾り部材４２の内周側に外レール６１が一体に形成されている。前飾り部材４２は飾り部９８の内外両側に内周壁９９と外周壁１００とを一体に備えた断面略コ字状であって、その内周壁９９と外周壁１００とを連結する連結部１０１に一体にピン状の圧入突起１０２が長手方向に複数個設けられ、その各圧入突起１０２を遊技盤６の圧入孔１０５に圧入することにより遊技盤６に着脱自在に装着されている。
【００８２】
内周壁９９は外レール６１を兼用しており、その外レール６１には第１垂直領域Ｘと外側傾斜領域Ｙとが設けられている。なお、外レール６１の内面には耐摩耗層がコーティングされている。
【００８３】
案内部材１０３は、前飾り部材４２の飾り部９８等にネジ等の固定手段１０４により着脱自在に装着されている。従って、案内部材１０３がある部分では、その案内部材１０３自体が前飾りの一部を構成している。遊技盤６は不透明、透明の何れでもよい。他の構成は各実施形態と同様である。
【００８４】
一般に前飾り部材４２，４３には合成樹脂製の成型品が使用されているので、このように前飾り部材４２に外レール６１を一体に設けることも可能である。その場合にも、外レール６１に垂直領域Ｘ及び外側傾斜領域Ｙを設け、その垂直領域Ｘ及び外側傾斜領域Ｙ、又は外側傾斜領域Ｙに対応して案内部材を設けてもよい。
【００８５】
図２３は本発明の第９の実施形態を例示する。この実施形態では、合成樹脂製の前飾り部材４２とは別に合成樹脂製の外レール６１が設けられている。外レール６１は遊技盤６の圧入孔１０５に圧入された圧入突起１０２を一体に備え、また内周側には垂直領域Ｘ及び外側傾斜領域Ｙが設けられている。なお、外レール６１の内面には耐摩耗層がコーティングされている。他の構成は第８の実施形態と同様である。
【００８６】
このように合成樹脂製の外レール６１を前飾り部材４２とは別に設ける場合にも、第８の実施形態と同様に実施できる。
【００８７】
以上、本発明の各実施形態について詳述したが、本発明はこれらの実施形態に限定されるものではなく、本発明の趣旨を逸脱しない範囲で種々の変更が可能である。例えば各実施形態では、外レール６１の垂直領域Ｘ，Ｚは遊技盤６の前面に対して略垂直に起立する構造としているが、この部分は遊技球が外レール６１に沿って移動するときに、外レール６１側から遊技球に対して遊技盤６の前面側への分力が生じない構造であれば十分である。
【００８８】
垂直領域Ｘ，Ｚ及び外側傾斜領域Ｙの接続部分では、外レール６１は垂直から傾斜、傾斜から垂直等に連続状に変化させることが望ましい。
【００８９】
また外レール６１の外側傾斜領域Ｙは、遊技球が外レール６１に沿って移動するときに、外レール６１の傾斜によって遊技球に遊技盤６とは反対の前面側への分力が生じる程度であればよい。外レール６１の外側への傾斜角度が小さい場合には、外レール６１の両端、又は始端、終端の一端側の一部を除く略全長を外側傾斜部としてもよい。
【００９０】
各実施形態では、遊技盤６はアクリル板等の透明板により構成された透明式について例示しているが、透明式に限定されるものではなく、木製等の不透明式の遊技盤６においても同様に実施可能である。
【００９１】
遊技盤６の前側に配置される透明板扉は、ガラス板２４を備えたガラス扉８が一般的であるが、ガラス板２４に代替して合成樹脂製の透明板を備えたものでもよい。また透明板ユニット１６は前側を合成樹脂製の透明板とし、裏側をガラス板２４としてもよい。
【００９２】
案内部材を設けるに当たっては、外レール６１の外側又は外側近傍にある部材であれば、飾り部材その他の何れに設けてもよい。また外レール６１に係合手段９０を介して着脱自在に装着する場合には、その係合構造は各実施形態に例示するもの以外のものを利用してもよい。また案内部材に外レール６１用の挿入溝を設け、その挿入溝に外レール６１の前端縁を挿入することにより、案内部材を外レール６１に装着してもよい。
【００９３】
遊技盤６が透明式の場合には、その遊技盤６の裏側には固定式の装飾部材、可動式の演出手段、画像表示手段４５等が設けられるが、遊技盤６の前面又は裏面に光透過式の塗料等で絵柄を印刷してもよいし、絵柄が印刷された光透過性の装飾シートを貼着してもよい。更にパチンコ機に限らず、アレンジボール機等の各種の弾球遊技機においても同様に実施可能である。
【００９４】
遊技盤６の前側に前飾り部材４２，４３を円弧状に配置し、この前飾り部材４２，４３により遊技球を遊技領域２１に案内する外レール６１を構成しても良い。この場合には部品点数を削減できる利点がある。
【００９５】
外側傾斜領域Ｙ部分のみ前飾り体がない構成でもよい。これにより外レール６１の傾斜角度を前飾り体に影響されることなく最適角度にすることが可能であり、また円弧状に設置された外レール６１が膨らむ最大域を遊技盤６からはみ出した形で設けることが容易である。更に外レール６１が外側に膨らむことにより、所定の間隔で設けられた内レール６０も遊技盤６の外側に設置することが可能になり、遊技領域２１をより広げることが可能である。
【００９６】
前飾り体４２に特別図表示手段８３を設けてもよい。この場合には部品点数を削減することができる。その他、ガイドレール４１は外レール６１のみとし、内レールがない構造でもよい。またガラス扉８の一部に遊技球の案内部を設けることも可能である。
【符号の説明】
【００９７】
６  遊技盤
６ａ  光透過部
７  発射手段
８  ガラス扉（透明板扉）
２１  遊技領域
４１  ガイドレール
４２，４３  前飾り部材
５２  発射レール
５９  遊技球案内通路
６０  内レール
６１  外レール
６６  レール保護部
６９  第１案内部材
７０  第２案内部材
７３  突条
７８  発光演出手段
Ｘ  第１垂直領域
Ｙ  外側傾斜領域
Ｚ  第２垂直領域
【図１】
2014212910.tif 000003
【図２】
2014212910.tif 000004
【図３】
2014212910.tif 000005
【図４】
2014212910.tif 000006
【図５】
2014212910.tif 000007
【図６】
2014212910.tif 000008
【図７】
2014212910.tif 000009
【図８】
2014212910.tif 000010
【図９】
2014212910.tif 000011
【図１０】
2014212910.tif 000012
【図１１】
2014212910.tif 000013
【図１２】
2014212910.tif 000014
【図１３】
2014212910.tif 000015
【図１４】
2014212910.tif 000016
【図１５】
2014212910.tif 000017
【図１６】
2014212910.tif 000018
【図１７】
2014212910.tif 000019
【図１８】
2014212910.tif 000020
【図１９】
2014212910.tif 000021
【図２０】
2014212910.tif 000022
【図２１】
2014212910.tif 000023
【図２２】
2014212910.tif 000024
【図２３】
2014212910.tif 000025